【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
ｉ．ユーザを特徴付ける１つ以上の特徴に関連する第１のゾーンであって、第１のサンプル値セットに関連する第１のゾーン（４０３）をユーザに関連する画像から決定し、
ｉｉ．第２のサンプル値セットに関連する第２のゾーンであって、前記第２のサンプル値セットの少なくとも一部の位置が、前記第１のサンプル値セットの位置とは異なる第２のゾーン（７０１）をユーザに関連する前記画像または更なる画像から決定し、
ｉｉｉ．前記第２のゾーンから特性値を決定し、前記特性値は、前記第２のサンプル値セットの平均であり、
ｉｖ．前記決定した特性値が所定のしきい値未満である場合にのみ、前記ユーザが本物であると判定する
ように構成された処理手段を備える、画像処理装置。
【請求項２】
前記ユーザ画像から前景画像を決定することを更に含む、または、
背景画像に関連するサンプル値をユーザ画像に関連する対応するサンプル値と比較すること、および、好ましくは、前記サンプル値が前記背景画像に関連するサンプル値と一致するように前記ユーザ画像のサンプル値を調整することを更に含み、または、
前記画像に関連するホワイトバランスおよび／または輝度値を補正することを更に含む請求項１に記載の画像処理装置。
【請求項３】
前記前景画像は、背景画像と前記ユーザ画像とのガウス加重混合に基づいて決定される前景マスク画像である、または、
前記装置は、更に、ピクセル座標のマッピングに基づいて、前記第１のゾーン（４０３）を前記ユーザ画像に関連付けるように構成されている、または、
前記装置は、更に、ピクセル座標のマッピングに基づいて、前記第２の検出ゾーン（７０１）を前記ユーザ画像に関連付けるように構成されている、請求項２に記載の装置。
【請求項４】
前記装置は、更に、前記ユーザに関連する特徴の高さを定義するパラメータに基づいて、前記検出ゾーン距離または検出ゾーン距離を決定するように構成されている、または、
前記検出ゾーン距離または検出ゾーン距離と、前記ユーザに関連する特徴の高さを定義する前記パラメータまたはパラメータとの比が、−０．２〜０．９の範囲であり、好ましくはゼロ以上であり、より好ましくは０．３〜０．９の範囲内にある、または、
前記第２の検出ゾーンは、検出ゾーン高さパラメータ（７０４）によって画定される、または、
前記検出ゾーン高さパラメータまたは検出ゾーン高さパラメータは、前記ユーザに関連する特徴の高さを定義する前記パラメータまたは更なるパラメータに基づいて決定され、好ましくは、前記検出ゾーン高さまたは検出ゾーン高さと、前記ユーザに関連する特徴の高さを定義する前記パラメータまたはパラメータとの比が、０．６〜１．９の範囲内にある、または、
前記第１の検出ゾーンおよび好ましくは前記第２の検出ゾーンは、それぞれ、ほぼ長方形状である、請求項１〜３のいずれか一項に記載の装置。
【請求項５】
前記処理手段は、前記第２の検出ゾーンから前景マスク画像を決定するように更に構成されている、または、
前記処理手段は、前記決定された特性値をしきい値と比較するように更に構成されている、または、
前記処理手段は、前記決定された特性値が２つの異なるしきい値未満である場合にのみ、前記ユーザを本物であると判定するように更に構成されている、または、
前記処理手段は、前記ユーザに関連する画像から前記ユーザを特徴付ける１つ以上の特徴と、好ましくは前記画像内の前記特徴の位置とを判定するように更に構成されている、請求項１〜４のいずれか一項に記載の装置。
【請求項６】
ユーザを特徴付ける１つ以上の特徴に関連する第１のゾーンであって、第１のサンプル値セットに関連する第１のゾーン（４０３）を、ユーザに関連する画像から決定するステップ（１１０１）と、
第２のサンプル値セットに関連する第２のゾーンであって、前記第２のサンプル値セットの少なくとも一部の位置が前記第１のサンプル値セットの位置とは異なる第２のゾーン（７０１）を、ユーザに関連する前記画像または更なる画像から決定するステップ（１１０３）と、
前記第２のゾーンから特性値を決定するステップ（１１０５）であって、前記特性値は、前記第２のサンプル値セットの平均であるステップと、
前記決定した特性値が所定のしきい値未満である場合にのみ、前記ユーザが本物であると判定するステップと、を含む、画像処理方法。
【請求項７】
前記装置は、前記決定された特性値に基づいて、前記ユーザが本物か否かを決定するように構成されている、または、
前記第２のゾーンは前記第１のゾーンの近位にあり、前記第２のゾーンは前記ユーザを特徴付ける１つ以上の特徴を含まない、または、
前記第２のゾーンは、前記第１のゾーンに隣接している、または、
前記第１のサンプル値セットの位置が、前記第２のサンプル値セットの位置とは異なる、または、
前記第１のゾーンは、前記ユーザを特徴付ける１つ以上の特徴のうち少なくとも１つを包含している、請求項１に記載の画像処理装置または請求項６に記載の画像処理方法。
【請求項８】
前記ユーザ画像から前景画像を決定するステップを更に含む、または、
前記第２のゾーンは前記第１のゾーンの近位にあり、前記第２のゾーンは、前記ユーザを特徴付ける１つ以上の特徴を含まない、または、
前記ユーザ画像から前景画像を決定するステップを更に含む、または、
背景画像に関連するサンプル値をユーザ画像に関連する対応するサンプル値と比較するステップ、および、好ましくは、前記サンプル値が前記背景画像に関連するサンプル値に一致するように前記ユーザ画像のサンプル値を調整するステップを更に含む、または、
前記画像に関連するホワイトバランスおよび／または輝度値を補正するステップを更に含む、請求項６または７に記載の画像処理方法。
【請求項９】
前記前景画像は、背景画像と前記ユーザ画像とのガウス加重混合に基づいて決定される前景マスク画像である、または、
前記決定された特性値に基づいて、前記ユーザが本物か否かを決定するステップを更に含む、または、
ピクセル座標のマッピングに基づいて、前記第１のゾーン（４０３）を前記ユーザ画像に関連付けるステップを更に含む、または、
ピクセル座標のマッピングに基づいて、第２の検出ゾーン（７０１）を前記ユーザ画像に関連付けるステップを更に含む、請求項８に記載の方法。
【請求項１０】
前記第１のゾーンは、前記第２のゾーンから検出ゾーン距離（７０３）だけ離間しており、前記検出ゾーン距離は、前記第１のゾーンから離れた所定数の水平ピクセルまたは垂直ピクセルとして定義されることが好ましい、請求項１〜３のいずれか一項に記載の画像処理装置または請求項６〜９のいずれか一項に記載の方法。
【請求項１１】
前記ユーザに関連する特徴の高さを定義するパラメータに基づいて、前記検出ゾーン距離または検出ゾーン距離を決定するステップを更に含む、または、
前記検出ゾーン距離または検出ゾーン距離と、前記ユーザに関連する特徴の高さを定義する前記パラメータまたはパラメータとの比が、−０．２〜０．９の範囲内にあり、好ましくはゼロ以上であり、より好ましくは０．３〜０．９の範囲内にある、または、
前記第２の検出ゾーンは、検出ゾーン高さパラメータ（７０４）によって画定される、または、
前記検出ゾーン高さパラメータまたは検出ゾーン高さパラメータは、前記ユーザに関連する特徴の高さを定義する前記パラメータまたは更なるパラメータに基づいて決定され、好ましくは、前記検出ゾーン高さまたは検出ゾーン高さと、前記ユーザに関連する特徴の高さを定義する前記パラメータまたはパラメータとの比が、０．６〜１．９の範囲にある、または、
前記第１の検出ゾーンおよび好ましくは前記第２の検出ゾーンは、それぞれ、ほぼ長方形状である、請求項６〜１０のいずれか一項に記載の方法。
【請求項１２】
前記第２の検出ゾーンから前景マスク画像を決定するステップを更に含む、または、
前記決定された特性値をしきい値と比較するステップを更に含む、または、
前記決定された特性値が２つの異なるしきい値未満である場合にのみ、ユーザを本物と判定するステップを更に含む、または、
前記ユーザに関連する画像から前記ユーザを特徴付ける１つ以上の特徴と、好ましくは、前記画像内の特徴の位置とを決定するステップを更に含む、請求項６〜１１のいずれか一項に記載の方法。
【請求項１３】
ユーザを認証するための装置であって、
ｉ．前記ユーザに関連する画像から、前記ユーザを特徴付ける１つ以上の特徴に隣接するゾーン（７０１）を決定し、
ｉｉ．前記ゾーン（７０１）から特性値を決定し、
ｉｉｉ．前記決定された特性値に基づいて前記ユーザを認証し、前記特性値は、前記第２のサンプル値セットの平均であり、
ｉｖ．前記決定した特性値が所定のしきい値未満である場合にのみ、前記ユーザが本物であると判定するように構成された処理手段を含む、装置。
【請求項１４】
ユーザを認証するための方法であって、
ｉ．前記ユーザに関連する画像から、前記ユーザを特徴付ける１つ以上の特徴に隣接するゾーン（７０１）を決定するステップと、
ｉｉ．前記ゾーン（７０１）から特性値を決定するステップと、
ｉｉｉ．前記決定された特性値に基づいて前記ユーザを認証するステップであって、前記特性値は、前記第２のサンプル値セットの平均であるステップと、
前記決定した特性値が所定のしきい値未満である場合にのみ、前記ユーザが本物であると判定するステップと、を含む、方法。
【請求項１５】
前記ユーザに関連する画像から背景画像を減算するステップを更に含む、請求項１３に記載の装置または請求項１４に記載の方法。